(57)【要約】【課題】より多くの情報を記載することができるシュリンク包装材を得る。【解決手段】シュリンク包装材１０は、筒状部１２を含む。筒状部１２の外面側に、重なるようにして中間部１４および外装部１６を形成する。中間部１４および外装部１６は、情報表示部として用いられる。筒状部１２、中間部１４および外装部１６は、熱収縮性シートを折り返して、接着部Ａ，Ｂ，Ｃで接着することにより形成される。中間部１４に破断部となる切れ目１８ａ，１８ｂを形成し、外装部１６に破断部となる切れ目２０ａ，２０ｂを形成する。切れ目１８ａ，１８ｂおよび切れ目２０ａ，２０ｂを破断することにより、外装部１６および中間部１４を筒状部１２の両側に向かって開放することができ、これらに表示された情報をみることができる。【選択図】      図１
2005017561.tif 000002
【特許請求の範囲】
【請求項１】
筒状部、
前記筒状部の外面側に配置されるようにして前記筒状部の少なくとも一部に重なるように形成される複数の情報表示部、および
複数の前記情報表示部のそれぞれに形成される破断部を含み、
前記筒状部および前記情報表示部は、熱収縮性シートの端部および中間部を固着することにより形成され、
前記破断部を破断することにより前記情報表示部を開放可能とした、シュリンク包装材。
【請求項２】
前記破断部は、複数の前記情報表示部において異なる側に形成され、前記破断部を破断することにより複数の前記情報表示部が異なる向きに開放される、請求項１に記載のシュリンク包装材。
【請求項３】
前記破断部は、隣接する前記情報表示部において異なる側に形成され、前記破断部を破断することにより隣接する前記情報表示部が異なる向きに開放される、請求項２に記載のシュリンク包装材。
【請求項４】
前記破断部は、複数の前記情報表示部において同じ側に形成され、前記破断部を破断することにより全ての前記情報表示部が同じ向きに開放される、請求項１に記載のシュリンク包装材。
【発明の詳細な説明】
【０００１】
【発明の属する技術分野】
この発明は、シュリンク包装材に関し、特に、たとえば物品の商品説明などが記載されたシュリンク包装材に関する。
【０００２】
【従来の技術】
たとえば、容器の周囲にシュリンク包装材を取り付け、商品名や商品に関する説明などを記載することが一般的に行われている。このとき、商品に関する情報が多い場合、容器の周囲のシュリンク包装材に情報を記載しきれないという問題がある。そこで、図１６に示すように、シュリンク包装材１の筒状部２の一部に重なった外装部３を形成したものがある。このシュリンク包装材１においては、破断部で外装部３を破断することにより、外装部３を開くことができる。このような二重になったシュリンク包装材１では、筒状部２および外装部３の両方に情報を記載することができるため、多くの情報を表示することができる（例えば、特許文献１参照）。
【０００３】
【特許文献１】
特開平１０−３１９８４８号公報
【０００４】
【発明が解決しようとする課題】
しかしながら、近年、商品の外部に表示する事項が増え、法的に開示を義務付けられる事項も増加傾向にあって、二重になったシュリンク包装材を採用しても、情報を記載しきれない場合が増えてきた。
【０００５】
それゆえに、この発明の主たる目的は、より多くの情報を記載することができるシュリンク包装材を提供することである。
【０００６】
【課題を解決するための手段】
この発明は、筒状部と、筒状部の外面側に配置されるようにして筒状部の少なくとも一部に重なるように形成される複数の情報表示部と、複数の情報表示部のそれぞれに形成される破断部とを含み、筒状部および情報表示部は、熱収縮性シートの端部および中間部を固着することにより形成され、破断部を破断することにより情報表示部を開放可能とした、シュリンク包装材である。
このようなシュリンク包装材において、破断部は、複数の情報表示部において異なる側に形成され、破断部を破断することにより複数の情報表示部が異なる向きに開放されるようにすることができる。
特に、破断部は、隣接する情報表示部において異なる側に形成され、破断部を破断することにより隣接する情報表示部が異なる向きに開放されるようにしてもよい。
また、破断部は、複数の情報表示部において同じ側に形成され、破断部を破断することにより全ての情報表示部が同じ向きに開放されるようにしてもよい。
【０００７】
シュリンク包装材の筒状部の少なくとも一部に重なるように複数の情報表示部が形成されることにより、筒状部および情報表示部のそれぞれに情報を表示することができる。そのため、このシュリンク包装材を採用することにより、表示すべき情報量の増加に対応することができる。
このようなシュリンク包装材において、複数の情報表示部の異なる側に破断部を形成することにより、複数の情報表示部の開放方向を異なる向きにすることができる。
特に、隣接する情報表示部について、破断部を異なる側に形成すれば、情報表示部を表面側から交互に異なる向きに開放することができる。
さらに、複数の情報表示部において、同じ側に破断部を形成することにより、全ての情報表示部を同じ向きに開放することができる。
【０００８】
この発明の上述の目的，その他の目的，特徴および利点は、図面を参照して行う以下の実施の形態の詳細な説明から一層明らかとなろう。
【０００９】
【発明の実施の形態】
図１は、この発明のシュリンク包装材の一例を示す斜視図である。シュリンク包装材１０は、筒状部１２を含む。筒状部１２の周方向の長さは、シュリンク包装材１０が取り付けられる物品の外周より長くなるように形成される。筒状部１２の外面側には、筒状部１２の周方向の一部を覆うようにして、情報表示部として用いられる中間部１４が形成される。さらに、中間部１４上には、別の情報表示部として用いられる外装部１６が形成される。中間部１４および外装部１６は、筒状部１２の軸方向において、筒状部１２と同じ幅に形成される。また、中間部１４および外装部１６は、筒状部１２の周方向において、筒状部１２の長さより短く形成される。これらの筒状部１２、中間部１４および外装部１６は、熱収縮性シートによって一体的に形成される。
【００１０】
筒状部１２、中間部１４および外装部１６は、図２に示すように、１枚の熱収縮性シート４０を複数箇所で折り返し、接着することによって形成される。熱収縮性シート４０は、間隔を隔てた折り返し部４０ａ，４０ｂにおいて、熱収縮性シート４０の同じ面側に向かって折り返されて、熱収縮性シート４０の両端部が互いに対向するように配置される。熱収縮性シート４０はさらに折り返されて、熱収縮性シート４０の両端部が対向する間の折り返し部４０ｃにおいて、その両端部が内側に配置される。
【００１１】
熱収縮性シート４０は折り返されることによって、その内側において両端部が互いに重なり合うとともに、２つの折り返し部４０ａ，４０ｂの近傍が互いに重なり合うように配置される。そして、熱収縮性シート４０の両端部が接着され、接着部Ａが形成される。また、熱収縮性シート４０の一端側において、接着部Ａの反対面と熱収縮性シート４０の中間部とが接着され、接着部Ｂが形成される。なお、接着部Ａと接着部Ｂとは、互いにずれた位置に形成される。さらに、熱収縮性シート４０の２つの折り返し部４０ａ，４０ｂ近傍において、熱収縮性シート４０の対向面が接着され、接着部Ｃが形成される。
【００１２】
このような熱収縮性シート４０において、接着部Ｂが形成されていない熱収縮性シート４０の他端側の筒状の部分が筒状部１２を構成している。また、筒状部１２の外面側において、熱収縮性シート４０の接着部Ａ，Ｂが形成された一端側と接着部Ｃとの間の部分が、中間部１４を構成している。さらに、中間部１４の外面側の外周部分において、熱収縮性シート４０の接着部Ｂと接着部Ｃとの間の部分が、外装部１６を構成している。
【００１３】
接着部Ａ，Ｂの近傍において、中間部１４に、破断部としての切れ目１８ａ，１８ｂが形成される。切れ目１８ａ，１８ｂは、接着部Ｃ側よりの接着部Ａ，Ｂの近傍において、接着部Ａ，Ｂに沿って、筒状部１２の軸方向に平行な直線状に形成される。切れ目１８ａ，１８ｂの一端側において、中間部１４に切れ目１８ａ，１８ｂを破断しやすくするための切込部が形成されてもよい。また、接着部Ａ，Ｂ側よりの接着部Ｃの近傍において、接着部Ｃに沿って、外装部１６に破断部としての切れ目２０ａ，２０ｂが形成される。切れ目２０ａ，２０ｂは、接着部Ｃに沿って、筒状部１２の軸方向に平行な直線状に形成される。切れ目２０ａ，２０ｂの一端側において、外装部１６に切れ目２０ａ，２０ｂを破断しやすくするための切込部が形成されてもよい。
【００１４】
このようなシュリンク包装材１０を作製するために、図３に示すように、長尺状の熱収縮性シート４０が準備される。熱収縮性シート４０としては、加熱することによって、その幅方向に収縮するものが用いられる。このような熱収縮性シート４０としては、たとえば厚み５０μｍ程度のポリエチレンテレフタレート（ＰＥＴ）フィルムなどが用いられる。なお、熱収縮性シート４０の種類としては、ＰＥＴフィルム以外にも、ポリスチレンフィルム、ポリ塩化ビニルフィルム、ポリプロピレンフィルム、ポリエステルフィルムなどを用いることができる。
【００１５】
熱収縮性シート４０の厚みとしては、５〜１００μｍのものが好ましく、特に、厚み３０〜７０μｍのものが好ましい。また、熱収縮性シート４０は、４０〜２２０℃で収縮させて容器等に取り付けられ、特に９０〜１００℃で収縮させて容器等に取り付けられることが好ましい。熱収縮性シートとしては、１軸延伸、２軸延伸等の延伸処理されたフィルムが好ましく、より好ましくは、長尺状の熱収縮性シート４０の幅方向に相対的に強く延伸処理されたフィルムである。１軸延伸された熱収縮性シートとしては、筒状部１２の軸方向の熱収縮率が０〜１０％の熱収縮性シート、特に０〜５％のものが好ましく、筒状部１２の周方向の熱収縮率が２５〜１００％の熱収縮性シート、特に４０〜７０％のものが好ましい。また、２軸延伸された熱収縮性シートとしては、筒状部１２の軸方向および周方向の熱収縮率が２５〜１００％の熱収縮性シート、特に４０〜７０％のものが好ましい。
【００１６】
熱収縮性シート４０には、その長手方向に沿って、直線状に２つの破断部が形成される。一方の破断部として、熱収縮性シート４０の幅方向の一端側に沿って、２本の切れ目１８ａ，１８ｂが形成される。また、熱収縮性シートの幅方向の内側に、切れ目１８ａ，１８ｂにほぼ平行になるように、他方の破断部として、２本の切れ目２０ａ，２０ｂが形成される。
【００１７】
さらに、図４に示すように、熱収縮性シート４０の一端側は、切れ目１８ａ，１８ｂと切れ目２０ａ，２０ｂとの間において、熱収縮性シート４０の一方面側に向かって折り返される。この熱収縮性シート４０を折り返した部分が、シュリンク包装材１０の折り返し部４０ａとなる。折り返された熱収縮性シート４０の一端側は、切れ目１８ａ，１８ｂより端部側において、熱収縮性シート４０の一方面側に接着される。接着の方法としては、熱収縮性シート４０を長手方向に移動させながら折り返し、折り返された熱収縮性シート４０の一端側に溶剤を塗布し、溶剤塗布部分を押さえて接着させる。このように、溶剤を塗布することにより、熱収縮性シート４０の少なくとも表面が溶解状態となり、溶解状態の部分が熱収縮性シート４０の一方面上に押し付けられて接着される。この接着部分が、シュリンク包装材１０の接着部Ｂとなる。
【００１８】
さらに、図５に示すように、熱収縮性シート４０の幅方向の他端側が、熱収縮性シート４０の一方面側に向かって折り返される。この熱収縮性シート４０を折り返した部分が、シュリンク包装材１０の折り返し部４０ｂとなる。そして、熱収縮性シート４０の幅方向の両端側は、熱収縮性シート４０の一方面上において対向するように配置される。
【００１９】
さらに、図６に示すように、熱収縮性シート４０の両端部の対向部分の間において、これらの両端部が内側に配置されるようにして、熱収縮性シート４０が折り返される。この熱収縮性シート４０を折り返した部分が、シュリンク包装材１０の折り返し部４０ｃとなる。そして、接着部Ｂと同様にして、熱収縮性シート４０の幅方向両端部の間の他方面側に溶剤が塗布されて押し付けられるともに、熱収縮性シート４０の折り返し部４０ａ，４０ｂ近傍の対向部の間の他方面側に溶剤が塗布されて押し付けられる。このようにして、熱収縮性シート４０の幅方向両端部の間にシュリンク包装材１０の接着部Ａが形成され、熱収縮性シート４０の折り返し部４０ａ，４０ｂ近傍の対向部にシュリンク包装材１０の接着部Ｃが形成される。
【００２０】
熱収縮性シート４０を接着するための溶剤としては、たとえばシール溶剤と希釈溶剤とを混合したものが用いられる。シール溶剤としては、たとえばテトラヒドロフラン、ジオキソラン、メチルイソブチルケトンなどが用いられる。また、希釈溶剤としては、たとえばノルマルヘキサンやトルエンなどが用いられる。なお、熱収縮性シート４０への溶剤の付与は、塗布に限定されるものではない。たとえば、熱収縮性シート４０に溶剤を吹きつけてもよい。また、熱収縮性シート４０を接着するために、接着剤を塗布してもよい。この場合、たとえばゴム系、アクリル共重合系、エマルジョン型、ホットメルト型などの接着剤を用いることができる。さらに、帯状の剥離紙上に感圧接着剤層を形成したものを準備し、熱収縮性シート４０に感圧接着剤層を転写して、剥離紙を剥がすことにより、熱収縮性シート４０に感圧接着剤層を形成してもよい。
【００２１】
このようにして、筒状部１２、中間部１４および外装部１６となる部分を有する長尺状の熱収縮性シート４０が形成される。この熱収縮性シート４０が所定の長さに切断され、複数のシュリンク包装材１０が形成される。
【００２２】
シュリンク包装材１０においては、筒状部１２の外面、中間部１４の外面および外装部１６の外面に、商品名、製造・販売会社、商品の取扱方法などのような、商品に関する情報が表示される。中間部１４および外装部１６においては、その内面にも商品に関する情報を表示すれば、情報をより多く表示することができる。そして、図７に示すように、シュリンク包装材１０の筒状部１２に、商品の容器５０などが挿通される。さらに、シュリンク包装材１０を加熱することにより、熱収縮性シート４０が収縮し、容器５０の外面にシュリンク包装材１０が密着して固定される。
【００２３】
この状態においては、中間部１４および外装部１６で覆われていない筒状部１２の外面に表示された情報と、外装部１６の外面側に表示された情報とを読むことができる。そして、図８に示すように、切れ目２２ａ，２２ｂを破断することにより、外装部１６を開くことができる。したがって、この状態においては、中間部１４の外面側に表示された情報を読むことができる。さらに、外装部１６の内面に表示された情報も読むことができる。
【００２４】
さらに、図９に示すように、中間部１４に形成された切れ目１８ａ，１８ｂを破断することにより、外装部１６が開く向きと逆向きに、中間部１４を開くことができる。したがって、この状態においては、中間部１４および外装部１６に覆われていた筒状部１２の表面に表示された情報を読むことができる。さらに、中間部１４の内面に表示された情報も読むことができる。
【００２５】
このように、このシュリンク包装材１０では、筒状部１２、中間部１４および外装部１６に情報を表示することができ、従来のシュリンク包装材に比べて、表示できる情報量が多い。したがって、商品に関して表示すべき情報量の増加に対しても、十分に応えることができる。
【００２６】
なお、このようなシュリンク包装材１０としては、図１０に示すように、熱収縮性シート４０の一端側を外側に向かって折り返してもよい。この場合、熱収縮性シート４０の他端側と中間部とが接着されて、接着部Ｄが形成され、筒状部１２が形成される。さらに、熱収縮性シート４０が、接着部Ｄから筒状部１２の外側に沿って配置され、接着部Ｄと間隔を隔てた位置において、外側に折り返される。この折り返し部４０ｄにおいて、熱収縮性シート４０が筒状部１２の外面に接着され、接着部Ｅが形成される。筒状部１２の外側に配置された接着部Ｄと接着部Ｅとの間の部分が、中間部１４として用いられる。また、折り返し部４０ｄで折り返された熱収縮性シート４０の一端側は、接着部Ｄの近傍に接着され、接着部Ｆが形成される。これらの接着部Ｅと接着部Ｆとの間の外周部分が、外装部１６として用いられる。
【００２７】
このシュリンク包装材１０では、接着部Ｅの近傍において、中間部１４に切れ目２２ａ，２２ｂが形成される。また、接着部Ｆの近傍において、外装部１６に切れ目２４ａ，２４ｂが形成される。これらの切れ目２２ａ，２２ｂおよび切れ目２４ａ，２４ｂによって破断部が形成される。したがって、これらの破断部を破断することにより、外装部１６および中間部１４を筒状部１２の周方向の両側に向かって開くことができる。
【００２８】
また、図１１に示すように、熱収縮性シート４０の両端部を同じ向きに向かって折り返して対向させ、図２と同様に折り返し部４０ａ，４０ｂが形成される。そして、熱収縮性シート４０の他端部と熱収縮性シート４０の中間部と、および熱収縮性シート４０の一端部と熱収縮性シート４０の中間部とが接着されて、接着部Ｇおよび接着部Ｈが形成される。これらの接着部Ｇおよび接着部Ｈの間で、熱収縮性シート４０が折り返され、折り返し部４０ｃが形成される。このとき、熱収縮性シート４０の両端部が内側に配置されるようにして、熱収縮性シート４０が折り返される。そして、折り返し部４０ｃの反対側において、熱収縮性シート４０の２つの折り返し部４０ａ，４０ｂ近傍が接着され、接着部Ｉが形成される。
【００２９】
このシュリンク包装材１０では、熱収縮性シート４０の他端側における接着部Ｇで形成されたリング状部分が筒状部１２として用いられる。また、筒状部１２の外側において、接着部Ｉと接着部Ｈ近傍の熱収縮性シート４０の一端部との間が、中間部１４として用いられる。さらに、中間部の１４の外側において、接着部Ｈと接着部Ｉとの間の熱収縮性シート４０が、外装部１６として用いられる。
【００３０】
このシュリンク包装材１０において、接着部Ｉの近傍の中間部１４に、破断部としての切れ目２６ａ，２６ｂが形成される。また、接着部Ｈの近傍の外装部１６に、破断部としての切れ目２８ａ，２８ｂが形成される。したがって、これらの破断部を破断することにより、中間部１４および外装部１６を反対側に向かって開くことができる。なお、切れ目２６ａ，２６ｂおよび切れ目２８ａ，２８ｂは、図２の切れ目１８ａ，１８ｂおよび切れ目２０ａ，２０ｂと反対の位置関係になっている。このように、破断部を形成する切れ目の位置は任意に設定することができる。
【００３１】
また、図２と同様に熱収縮性シートを折り返した場合において、図１２に示すように、接着部Ａと接着部Ｂとが互いに重なるように形成されてもよい。ここでは、図１１に示すシュリンク包装材１０と同様に、切れ目２６ａ，２６ｂおよび切れ目２８ａ，２８ｂが形成されているが、図２に示すような位置に、切れ目１８ａ，１８ｂおよび切れ目２０ａ，２０ｂが形成されてもよい。
【００３２】
さらに、情報表示部として、中間部および外装部の２つのみが形成される必要はなく、図１３に示すように、筒状部１２の外面側に、３つの情報表示部３０ａ，３０ｂ，３０ｃが形成されてもよい。この場合、情報表示部３０ａ，３０ｂ，３０ｃの隣接するものには、異なる側に切れ目を形成することにより、破断部３２ａ，３２ｂ，３２ｃが形成され、これらの破断部３２ａ，３２ｂ，３２ｃを破断することにより、情報表示部３０ａ，３０ｂ，３０ｃを外側から順に両側に開放することができる。
【００３３】
また、図１４に示すように、全ての情報表示部３０ａ，３０ｂ，３０ｃの同じ側に、破断部３２ａ，３２ｂ，３２ｃを形成してもよい。この場合、破断部３２ａ，３２ｂ，３２ｃを破断することにより、全ての情報表示部３０ａ，３０ｂ，３０ｃを同じ側に向かって開放することができる。
【００３４】
さらに、図１５に示すように、内側の２つの情報表示部３０ａ，３０ｂの同じ側に破断部３２ａ，３２ｂを形成し、外側の情報表示部３０ｃには、破断部３２ａ，３２ｂの反対側に破断部３２ｃを形成してもよい。この場合、破断部３２ａ，３２ｂを破断することにより、内側の情報表示部３０ａ，３０ｂを一方側に開放することができ、破断部３２ｃを破断することにより、外側の情報表示部３０ｃを内側の情報表示部３０ａ，３０ｂと異なる向きに開放することができる。
【００３５】
このように、シュリンク包装材の筒状部および情報表示部を形成するために、熱収縮性シートを折り返し方を自由に変更することができる。熱収縮性シートの折り返し方によって、情報表示部の数を調整することができる。さらに、情報表示部は、筒状部のほぼ全面を覆うように形成してもよく、情報表示部の面積によって表示できる情報量を調整することができる。また、筒状部は、軸方向が同じ長さになるように形成する必要はなく、たとえば周方向に沿って波形になるように形成してもよい。さらに、中間部および外装部は、その軸方向の長さを筒状部と異なった長さに形成してもよく、その形状も矩形状に限らず任意に変更することができる。また、筒状部および情報表示部を形成できる接着位置であれば、熱収縮性シートの接着位置をどのように変更してもよい。さらに、情報表示部に形成される切れ目は、筒状部の軸方向に平行な直線状に形成される必要はなく、筒状部の軸に対して斜めに形成されてもよく、曲線状に形成されてもよい。また、１つの情報表示部に複数の破断部を設けて、情報表示部を切り取れるようにしてもよい。切り取った情報表示部は、たとえば容器とは別の場所に保管することができる。
【００３６】
【発明の効果】
この発明によれば、筒状部の外側に複数の情報表示部を重ねて形成することにより、多くの情報を表示することができる。
【図面の簡単な説明】
【図１】この発明のシュリンク包装材の一例を示す斜視図である。
【図２】図１に示すシュリンク包装材の端面図である。
【図３】図１に示すシュリンク包装材を製造するための熱収縮性シートを示す平面図である。
【図４】図３に示す熱収縮性シートの一端側を折り返す工程を示す図解図である。
【図５】図４に示す熱収縮性シートの他端側を折り返す工程を示す図解図である。
【図６】図５に示す熱収縮性シートの中間部を折り返す工程を示す図解図である。
【図７】図１に示すシュリンク包装材を容器に取り付けた状態を示す斜視図である。
【図８】この発明のシュリンク包装材の外装部を開いた状態を示す斜視図である。
【図９】この発明のシュリンク包装材の中間部を開いた状態を示す斜視図である。
【図１０】この発明のシュリンク包装材の他の例を示す端面図である。
【図１１】この発明のシュリンク包装材のさらに他の例を示す端面図である。
【図１２】この発明のシュリンク包装材の別の例を示す端面図である。
【図１３】この発明のシュリンク包装材のさらに別の例を示す端面図である。
【図１４】この発明のシュリンク包装材の異なる例を示す端面図である。
【図１５】この発明のシュリンク包装材のさらに異なる例を示す端面図である。
【図１６】従来のシュリンク包装材の一例を示す斜視図である。
【符号の説明】
１０  シュリンク包装材
１２  筒状部
１４  中間部
１６  外装部
１８ａ，１８ｂ  切れ目
２０ａ，２０ｂ  切れ目
２２ａ，２２ｂ  切れ目
２４ａ，２４ｂ  切れ目
２６ａ，２６ｂ  切れ目
２８ａ，２８ｂ  切れ目
３０ａ，３０ｂ，３０ｃ  情報表示部
３２ａ，３２ｂ，３２ｃ  破断部
４０  熱収縮性シート
５０  容器
【図１】
2005017561.tif 000003
【図２】
2005017561.tif 000004
【図３】
2005017561.tif 000005
【図４】
2005017561.tif 000006
【図５】
2005017561.tif 000007
【図６】
2005017561.tif 000008
【図７】
2005017561.tif 000009
【図８】
2005017561.tif 000010
【図９】
2005017561.tif 000011
【図１０】
2005017561.tif 000012
【図１１】
2005017561.tif 000013
【図１２】
2005017561.tif 000014
【図１３】
2005017561.tif 000015
【図１４】
2005017561.tif 000016
【図１５】
2005017561.tif 000017
【図１６】
2005017561.tif 000018